(57)【要約】【課題】トイレなどの部屋の空間は限られており装飾で演出を図りたいときにも、小物を置くための棚を据え付けることが容易ではなかった。そこで、内装、その他の構造物自体に傷つけることなく、工作する事なく、既設の戸へ物を飾る、または収納スペースを提供する装置の提供を課題とする。【解決手段】伸縮調整機構付き器具（１）を戸に取り付けるのだが、適切な戸幅に合うよう、本装置の取り付け部位の伸縮部分を可変させ、戸と隣り合う構造物との隙間部分（７）に取り付ける。用途や目的に合わせ、物品装飾トレイ（２）、物品装飾棚（３）、タオルハンガー（４）、掲示物取り付け器具（５）、雑貨吊るし器具（６）、収納キャビネット（７）、マガジンラック（９）の中から装置を構成する。それから、装飾品（８）品を適切に配置する。または、物品を収納する。【選択図】      図１
2005188282.tif 000002
【特許請求の範囲】
【請求項１】
建具である戸を利用し、物品を飾る、又は収納する、そしてお互いの機能を有する、戸取り付け装飾収納装置。
【請求項２】
建具以外の戸に利用し、物品を飾る、又は収納する、そしてお互いの機能を有する、戸取り付け装飾収納装置。
【請求項３】
建具である戸を利用し、取り付け部位が伸縮自在の機構を有し、戸の開閉部分と枠材の隙間を利用した、物品を飾る、又は収納する、そしてお互いの機能を有する、戸取り付け装飾収納装置。
【請求項４】
建具以外の戸を利用し、取り付け部位が伸縮自在の機構を有し、戸の開閉部分と枠材の隙間を利用した、物品を飾る、又は収納する、そしてお互いの機能を有する、戸取り付け装飾収納装置。
【請求項５】
戸、扉への取り付けにおいて、取り付け部位の幅が自在に可変する構造を用い、横方向の内側への締め付けを利用し固定する、かつ、その固定部位を枠材との隙間に入り込むよう薄く加工した、もしくは成型した、物品を飾る、又は収納する、そしてお互いの機能を有する、戸取り付け装飾収納装置。
【発明の詳細な説明】
【技術分野】
【０００１】
本装置は、戸と隣り合う構造物の隙間を利用した、物の装飾、収納に貢献する装置に関するものである。
【背景技術】
【０００２】
特許文献１においては、壁面を利用して、収納、手洗い、身だしなみを整える鏡を設置していた。ある程度の部屋の容積が必要である。大半の物件のトイレ室内の大きさを考えると設置は難しい。既に建築されている場合には、壁面に工事が必要となる可能性があり、大きな費用を必要とする。賃貸物件には契約上難しい。
【０００３】
特許文献２においては、新たに収納用キャビネットを用意し、床面に置きその中に用食を収納する。置く場所は室内隅となる。直接、床に設置するため衛生面が懸念される。収納面ではある程度補われているが、部屋の演出を図るカレンダー、ポスターの掲示ができない。
【０００４】
【特許文献１】特許公開平７−２５０７１５
【特許文献２】特許公開２０００−１０７０８４
【発明の開示】
【発明が解決しようとする課題】
【０００５】
トイレでは、室内の容積が少なく収納スペースが限られているため、収納スペースの不足の問題が生じる。また、室内の演出が限られ、小物を飾ることも出来ない乏しい環境である。空間に変化をもたらすことが難しく、退屈である。
【０００６】
カレンダーやポスター等の印刷物、タオルを添えるハンガーを据え付けるのに、内装を痛めてしまう可
能性がある。
【課題を解決するための手段】
【０００７】
戸幅に合わせ、伸縮調整機構付き器具（１）を戸に取り付ける。
用途、目的に合わせ、物品装飾トレイ（２）、物品装飾棚（３）、タオルハンガー（４）、掲示物取り付け器具（５）、雑貨吊るし器具（６）、収納キャビネット（７）、マガジンラック（９）の中から装置を構成する。
装飾品（８）を配置したり、物品を収納する。
【発明の効果】
【０００８】
自分の趣味の物を飾ることで、新しい空間を演出でき、その楽しみが生まれる。
【０００９】
新たに収納スペースが設けられ、以前は外に放置され視線にさらすことになっていた関連用具や物を収
納することが可能となり、整理された印象を与える。
【００１０】
本装置取り付け部位に伸縮可能な機構を用いることにより、様々な戸サイズに対応できる。
【発明を実施するための最良の形態】
【００１１】
本装置は、戸幅を利用して固定、取り付けが前提となるが、戸の開閉の支障にならないよう、戸と隣
り合う構造物との隙間部分（７）に取り付ける素材の厚みを、出来るだけ強度を落とすことなく適切な
薄さを実現することが重要である。また、重量についても気をつけ、落下することのないよう、載せす
ぎないよう配慮する。本装置の材質も、軽くて丈夫な、そして水周りにも大丈夫なさびにくい素材を用
いることが望ましい。
【実施例１】
【００１２】
図１は、物品を飾ることを目的とした実施例である。物品装飾トレイ（２）と物品装飾棚（３）を組
み合わせた実施例である。物品装飾トレイ（２）には、鏡、小さな観葉植物の鉢、花瓶、液晶テレビ等
が置けるよう想定、窪みを施してある。主に、これらは、トイレに設置することを前提にしている。
【００１３】
また、形状の違う物品装飾棚（３）は、身だしなみを整える鏡をはじめ、お気に入りの絵画、写真、ポ
スターカード、書物等を置くことを想定している。絵画は気分転換として、また、目の保養となること
は周知である。また、長時間滞在する際には、書物を置けば読書が出来る。
【実施例２】
【００１４】
図２は、お手洗いでの利用を考え、タオルハンガー（４）を付けた実施例である。
【実施例３】
【００１５】
図３は、掲示物取り付け器具（５）に装飾品（８）を掲示した実施例である。カレンダーやポスター等
の印刷物が挙げられる。ありがちな、画びょうを用いて掲示する方法では、内装を傷つけたり、外れた
場合には、落ちた画びょうによってケガの危険性がある。
【実施例４】
【００１６】
図４は、雑貨物吊るし器具（６）の構成である、本装置の実施例である。主に、台所周りにおいて、キ
ッチンキャビネットの扉への取り付けを想定した。料理の際使用される、小道具の整理整頓の役割を果
たす。他の取り付け場所として、洗面台の下部、上部にある、収納キャビネットの扉の裏側が考えられ
る。
【実施例５】
【００１７】
図５は、収納スペースの確保を目的とした、収納キャビネット（７）の実施例である。トイレでの利用
を想定、洗浄用具、トイレットペーパーを収めることが考えられる。
【実施例６】
【００１８】
図７は、雑誌や新聞紙を入れるポケットを付け、お気に入りの雑誌を飾るのに考えられる、マガジンラ
ック（９）である。
【図面の簡単な説明】
【００１９】
【図１】本装置実施例１
【図２】本装置実施例２
【図３】本装置実施例３
【図４】本装置実施例４
【図５】本装置実施例５
【図６】本装置取り付け部位拡大図
【図７】本装置実施例６
【図８】本装置を取り付けた上面から見た平面図
【符号の説明】
【００２０】
伸縮調整機構付き器具
物品装飾トレイ
物品装飾棚
タオルハンガー
掲示物取り付け器具
雑貨吊るし器具
戸と隣り合う構造物との隙間部分
装飾品
マガジンラック
【図１】
2005188282.tif 000003
【図２】
2005188282.tif 000004
【図３】
2005188282.tif 000005
【図４】
2005188282.tif 000006
【図５】
2005188282.tif 000007
【図６】
2005188282.tif 000008
【図７】
2005188282.tif 000009
【図８】
2005188282.tif 000010
【手続補正書】
【提出日】平成17年4月27日(2005.4.27)
【手続補正１】
【補正対象書類名】明細書
【補正対象項目名】００２０
【補正方法】変更
【補正の内容】
【００２０】
１  伸縮調整機構付き器具
２  物品装飾トレイ
３  物品装飾棚
４  タオルハンガー
５  掲示物取り付け器具
６  雑貨吊るし器具
７  戸と隣り合う構造物との隙間部分
８  装飾品
９  マガジンラック